(57)【要約】【課題】既存の建築物の構造に何ら手を加えることなく、極めて安価に、段差部位の形状ないし寸法に対応したスロープを簡単に、短時間で設置でき、取り外しや交換も容易に行なえるスロープ形成枠部材を提供する。【解決手段】上記課題を解決するために本発明のスロープ形成枠部材１は段差部位Ｄの形状ないし寸法に応じて種類の違う複数個の枠要素３を適宜組み合わせることによって構成されている。また枠要素３は比較的長寸のセンター用の枠要素５と、センター用の枠要素５の端面に接続される比較的短寸のエンド用の枠要素７と、角度を持たせて配置した２本のセンター用の枠要素５のコーナー部に対して接続されるコーナー用の枠要素９とから構成されている。また枠要素３には、案内傾斜面１１と、案内傾斜面１１の上辺に接続され、内側あるいは外側に向けて水平に延長形成されている水平平坦面１３とが設けられている。【選択図】        図１
2005061029.tif 000002
【特許請求の範囲】
【請求項１】
床面等に形成されている段差部位に対して設置され、段差間の移動を容易にするスロープ形成枠部材において、段差部位の形状ないし寸法に応じて種類の違う複数個の枠要素を適宜組み合わせることによってスロープを形成するようにしたことを特徴とするスロープ形成枠部材。
【請求項２】
請求項１に記載のスロープ形成枠部材において、枠要素は比較的長寸のセンター用の枠要素と、センター用の枠要素の端面に接続される比較的短寸のエンド用の枠要素と、角度を持たせて配置した２本のセンター用の枠要素のコーナー部に対して接続されるコーナー用の枠要素とから成り、段差部位の形状ないし寸法に応じてこれらの一部あるいは全部を選択すると共に、それぞれ必要な個数を使用して、これらを適宜組み合わせることによってスロープを形成するようにしたことを特徴とするスロープ形成枠部材。
【請求項３】
請求項１または２に記載のスロープ形成枠部材において、枠要素には、段差部位の低位置から高位置あるいは高位置から低位置に向けて形成されている案内傾斜面と、案内傾斜面の上辺に接続され、内側あるいは外側に向けて水平に延長形成されている水平平坦面とが設けられていることを特徴とするスロープ形成枠部材。
【請求項４】
請求項３に記載のスロープ形成枠部材において、案内傾斜面の傾斜角度は５〜２０°であることを特徴とするスロープ形成枠部材。
【請求項５】
請求項３または４に記載のスロープ形成枠部材において、エンド用の枠要素とコーナー用の枠要素には、傾斜方向が相違する連結された複数の案内傾斜面、あるいは傾斜方向が連続的に変化する単一の案内傾斜面が形成されていることを特徴とするスロープ形成枠部材。
【請求項６】
請求項１〜５のいずれかに記載のスロープ形成枠部材において、枠要素には滑り止め加工が施されていることを特徴とするスロープ形成枠部材。
【請求項７】
請求項６に記載のスロープ形成枠部材において、滑り止め加工は案内傾斜面に対して、その傾斜幅方向に複数本刻設されている溝であることを特徴とするスロープ形成枠部材。
【発明の詳細な説明】
【技術分野】
【０００１】
本発明は、床面等に形成されている段差部位に対して設置され、段差間の移動を容易にするスロープ形成枠部材に関するものである。
【背景技術】
【０００２】
近年「バリアフリー」と呼ばれる試みが種々の分野で行なわれている。例えば、建築の分野では、できるだけ床面等の段差を少なくし、お年寄りや身体に不自由がある人であっても安心して容易に移動できるようにデザインされた居住空間の提案がなされている。
【０００３】
しかし、このような試みは板張りやコンクリート床をベースにした洋風建築において多く行なわれており、我が国独自の伝統的な和風建築や洋室と和室が混在した複合形式の建築物においては、まだまだそれほど多く実行に移されていないのが現状である。これは和風建築では畳を使用することが前提になっているため、畳の肉厚分敷居を高くしなければならず、或いは畳を敷き詰めた部屋と廊下あるいは板の間との境界部に必然的に段差ができること等に起因するものである。
【発明の開示】
【発明が解決しようとする課題】
【０００４】
本発明は既存の建築物の構造に何らの手を加えることなく、極めて安価に、段差部位の形状ないし寸法に対応したスロープを簡単に、短時間で設置でき、取り外しや交換も容易に行なえるスロープ形成枠部材を提供することを課題とするものである。
【課題を解決するための手段】
【０００５】
上記課題を解決するために請求項１記載の発明は、床面等に形成されている段差部位に対して設置され、段差間の移動を容易にするスロープ形成枠部材において、段差部位の形状ないし寸法に応じて種類の違う複数個の枠要素を適宜組み合わせることによってスロープを形成するようにしたことを特徴とするスロープ形成枠部材である。
【０００６】
請求項２記載の発明は、請求項１に記載のスロープ形成枠部材において、枠要素は比較的長寸のセンター用の枠要素と、センター用の枠要素の端面に接続される比較的短寸のエンド用の枠要素と、角度を持たせて配置した２本のセンター用の枠要素のコーナー部に対して接続されるコーナー用の枠要素とから成り、段差部位の形状ないし寸法に応じてこれらの一部あるいは全部を選択すると共に、それぞれ必要な個数を使用して、これらを適宜組み合わせることによってスロープを形成するようにしたことを特徴とするスロープ形成枠部材である。
【０００７】
請求項３記載の発明は、請求項１または２に記載のスロープ形成枠部材において、枠要素には、段差部位の低位置から高位置あるいは高位置から低位置に向けて形成されている案内傾斜面と、案内傾斜面の上辺に接続され、内側あるいは外側に向けて水平に延長形成されている水平平坦面とが設けられていることを特徴とするスロープ形成枠部材である。
【０００８】
請求項４記載の発明は、請求項３に記載のスロープ形成枠部材において、案内傾斜面の傾斜角度は５〜２０°であることを特徴とするスロープ形成枠部材である。
【０００９】
請求項５記載の発明は、請求項３または４に記載のスロープ形成枠部材において、エンド用の枠要素とコーナー用の枠要素には、傾斜方向が相違する連結された複数の案内傾斜面、あるいは傾斜方向が連続的に変化する単一の案内傾斜面が形成されていることを特徴とするスロープ形成枠部材である。
【００１０】
請求項６記載の発明は、請求項１〜５のいずれかに記載のスロープ形成枠部材において、枠要素には滑り止め加工が施されていることを特徴とするスロープ形成枠部材である。
【００１１】
請求項７記載の発明は、請求項６に記載のスロープ形成枠部材において、滑り止め加工は案内傾斜面に対して、その傾斜幅方向に複数本刻設されている溝であることを特徴とするスロープ形成枠部材である。
【発明の効果】
【００１２】
本発明のスロープ形成枠部材は既存の建築物の構造に何ら手を加えることなく、極めて安価に、枠要素を適宜組み合わせることによって、段差部位の形状ないし寸法に対応したスロープを簡単に、短時間で設置できる。またスロープ形成枠部材の取り外しや交換も容易に行うことができ、段差部位の移動を安心して円滑に行うことができる。また段差部位でのゴミの堆積も防止される。
【発明を実施するための最良の形態】
【００１３】
本発明のスロープ形成枠部材１は、床面Ｆ等に形成されている段差部位Ｄに対して設置され、段差部位Ｄの低位置Ｌから高位置Ｈへの移動、あるいは逆に高位置Ｈから低位置Ｌへの移動を容易に行えるようにするために使用される。
具体的には、段差部位Ｄの形状ないし寸法に応じて種類の違う複数個の枠要素３を適宜組み合わせることによってスロープ形成枠部材１は構成されている。
【００１４】
枠要素３は図３に示すように比較的長寸のセンター用の枠要素５と、センター用の枠要素５の端面に接続される比較的短寸のエンド用の枠要素７と、直角ないしその他適宜の角度を持たせて配置した２本のセンター用の枠要素５のコーナー部に対して接続されるコーナー用の枠要素９とから構成されている。
エンド用の枠要素７は左端用の枠要素７Ａと右端用の枠要素７Ｂの２種類、コーナー用の枠要素９は外隅用の枠要素９Ａと内隅用の枠要素９Ｂの２種類が用意されている。
【００１５】
これらの枠要素３は必ずしもそのすべてを使用する必要はなく、その一部を適宜選択して使用することが可能である。また同一の種類の枠要素３を複数個使用することも勿論可能である。
【００１６】
枠要素３には、図４に示すように案内傾斜面１１と水平平坦面１３とが設けられている。このうち案内傾斜面１１は段差部位Ｄの低位置Ｌから高位置Ｈ、あるいは高位置Ｈから低位置Ｌに向けて形成されており、高位置Ｈと低位置Ｌ間の移動を容易にするための実質的なスロープを形作る部位である。
一方、水平平坦面１３は上記案内傾斜面１１の上辺に接続され、内側あるいは外側に向けて水平に延長形成されており、案内傾斜面１１の上部から段差部位Ｄにおける高位置Ｈへの移動を引っ掛りなく、円滑に行えるようにするために設けられている部位である。
【００１７】
図５は水平平坦面１３を設けることによって奏せられる作用効果を示している。図５（ａ）に示すように水平平坦面１３を設けない場合には、段差部位Ｄの高さが多少でも枠要素３の高さより高くなると、段差領域Ａが残存し、この段差領域Ａを意識することなく、案内傾斜面１１の傾斜に沿って上ろうとすると、この段差領域Ａに引っ掛かることが予想される。
図中、一点鎖線のハッチングで示す部分は案内傾斜面１１に沿って上った場合の移動軌跡Ｂを示しており、その一部が上記段差領域Ａとオーバーラップしていることで段差領域Ａでの引っ掛かりの可能性を表している。
【００１８】
一方、図５（ｂ）に示すように水平平坦面１３を設けた場合には、段差部位Ｄの高さが多少、枠要素３の高さより高くても移動軌跡Ｂは段差領域Ａを越えて、その上方に位置するから段差領域Ａに引っ掛かることなく円滑に段差部位Ｄの高位置Ｈに達することができる。
また水平平坦面１３を設けることによって対応できる段差領域Ａの高さは案内傾斜面１１の傾斜角度θとも密接に関係しており、その傾斜角度θは５〜２０°、好ましくは８〜１８°の範囲内に設定される。
【００１９】
また図３に示すエンド用の枠要素７とコーナー用の枠要素９にあっては、複数の方向からの上り、下りに対応できる構成になっている。従って、傾斜方向が相違する複数の案内傾斜面１１を連結した額縁のコーナー部のような接合構造が採用されている。また枠要素３には滑り止め加工が施されていることが望ましく、図４ではその一例として案内傾斜面１１に対して、その傾斜幅方向（上り、下りする方向と直交する方向）に溝１５を複数本、平行に刻設することによって滑り止め作用を担わせている。
【００２０】
以下、このような枠要素３を適宜組み合わせることによって形成される本発明のスロープ形成枠部材１の実施例について説明する。以下の説明では、外隅用のコーナー部を有する段差部位Ｄに対して適用した実施例１と、内隅のコーナー部を有する段差部位Ｄに対して適用した実施例２を採り上げて説明する。
【実施例１】
【００２１】
図１は本発明の実施例１を示す斜視図である。具体的には、Ｌ字状に屈曲した廊下から一段高い畳の間に上がる場合、あるいはその畳の間から一段低い廊下に下がるような場合である。
この実施例では、外隅のコーナー部に外隅用の枠要素９Ａを配し、９０°屈曲したその両端面にセンター用の枠要素５をそれぞれ１個ずつ接続し、更にセンター用の枠要素５の他方の端面に左端用の枠要素７Ａ及び右端用の枠要素７Bをそれぞれ接続し、平面視L字形となるように５個の枠要素３を組み合わせることによってスロープ形成枠部材１を形成した。
【００２２】
枠要素３の材料としては、一例としてナラ材を使用し、その表面には滑り止め用のコーティングをし、案内傾斜面１１には上述の溝１５を２本刻設した。
枠要素３の床面Ｆ等への固定は両面接着テープＴを使用して行なう。具体的には、図示のように枠要素３の裏面に予め両面接着テープＴの片面を貼設しておき、使用に際し、剥離紙を剥がして床面Ｆ等の所望の位置に固定する。
図示は省略するが、必要に応じて接続される他の枠要素３との接合面や段差部位Dとの当接面にも両面接着テープＴを貼設することも可能である。また連結金具等を別途用意し、これらを使用することによって枠要素３間の接続を更に頑強にすることも可能である。
【実施例２】
【００２３】
図２は本発明の実施例２を示す斜視図である。具体的には、一段低い板の間からコーナー部外方に設けられた一段高い廊下や畳の間に上がる場合、あるいはその廊下や畳の間から一段低い板の間に下がるような場合である。
この実施例では、内隅のコーナー部に内隅用の枠要素９Bを配し、９０°屈曲したその両端面にセンター用の枠要素５をそれぞれ１個ずつ接続し、更にセンター用の枠要素５の他方の端面に左端用の枠要素７Ａ及び右端用の枠要素７Bをそれぞれ接続し、平面視L字形となるように５個の枠要素３を組み合わせることによってスロープ形成枠部材１を形成した。
枠要素３の材料及び床面Ｆ等への固定方法については上記実施例１と同様である。
【００２４】
以上、本発明を実施するための最良の形態、その具体的実施例について詳述してきたが、具体的な構成はこれらの形態や実施例に限られるものではなく、本発明の要旨を逸脱しない範囲における設計の変更などがあっても本発明に含まれる。
例えば、枠要素の材料は他の種類の木材（無垢材の他、合板や集成材を含む）であってもよいし、アルミニウムやステンレスのような金属材料、プラスチックやゴムのような合成材料、陶磁器やセラミックス等の焼結材料、この他コンクリートや石材等、種々の材料が使用可能である。
【００２５】
またセンター用の枠要素５として、図６（ａ）に示すように円環を４等分したような円弧枠状の枠要素３を使用して平面視半円形状ないし円形状の段差部位Ｄに対応できるようにすることも可能である。同様に図６（ｂ）に示すようにコーナー用の枠要素９としてコーナー部をアール状に湾曲させた枠要素３を使用することも可能である。
因みにこれらの場合には、案内傾斜面１１自体は単一であり、傾斜方向が連続的に変化する点、上記形態あるいは実施例のものと相違する。
【００２６】
また枠要素３を一段設けるだけではなく、大きな段差部位Ｄに対して適用する場合には、図７に示すように水平平坦面１３を接合面として使用し、枠要素３を複数段、上方に積み重ねる構成とすることも可能である。ただしこの場合には、上方に積み上げる枠要素３の支持されていない底面を下方から支承してやる必要があり、そのための構成として支持部材としてコマ１７を設けている。
また、枠要素の滑り止め加工は、複数本刻設されている溝に限らず、表面を粗面にしたり、滑り止め効果の塗料を塗布したり、或いは合成ゴム等の滑り止め効果のある材料を貼ったりしてもよい。
上記実施の形態では、枠要素３の床面Ｆ等への固定を両面接着テープＴによって行ったが、両面接着テープＴ以外の例えばビスを用いて固定するようにしてもよい。
【図面の簡単な説明】
【００２７】
【図１】スロープ形成枠部材の使用状態の一例を示す斜視図である。（実施例１）
【図２】スロープ形成枠部材の使用状態の他の一例を示す斜視図である。（実施例２）
【図３】枠要素の種々の形態を示す斜視図である。
【図４】枠要素を拡大して示す側断面図である。
【図５】水平平坦面を設けない場合（ａ）と、水平平坦面を設けた場合(ｂ)の作用効果を対比して示す側断面図である。
【図６】枠要素の平面形状を異ならせた他の実施例を示す平面図であって、（ａ）はセンター用の枠要素の他の実施例、（ｂ）はコーナー用の枠要素の他の実施例をそれぞれ示している。
【図７】枠要素を複数段、積み重ねて使用した実施例を示す側断面図である。
【符号の説明】
【００２８】
１  スロープ形成枠部材                ３  枠要素
５  ンター用の枠要素                  ７  エンド用の枠要素
７Ａ  左端用の枠要素                  ７Ｂ  右端用の枠要素
９  コーナー用の枠要素                ９Ａ  外隅用の枠要素
９Ｂ  内隅用の枠要素                    １１  案内傾斜面
１３  水平平坦面                          １５  溝
１７  コマ                                Ｆ  床面
Ｄ  段差部位                              Ｌ  低位置
Ｈ  高位置                                Ａ  段差領域
Ｂ  移動軌跡                              θ  傾斜角度
Ｔ  両面接着テープ
【図１】
2005061029.tif 000003
【図２】
2005061029.tif 000004
【図３】
2005061029.tif 000005
【図４】
2005061029.tif 000006
【図５】
2005061029.tif 000007
【図６】
2005061029.tif 000008
【図７】
2005061029.tif 000009